(57)【要約】      （修正有）【課題】高さを調整できるホワイトボードを提供する。【解決手段】２つの平行の支柱１１を含むホルダと、四辺にはフレームが固設され、２つの支柱の間に設けられるボード本体と、前記ボード本体のフレームの両側にそれぞれ固設される２つのボルトと、両端がそれぞれ２つの支柱に固設されかつボード本体の下方に位置し、フレームと嵌合する係止装置が中部に設けられる連結フレームと、を備えるホワイトボードであって、前記支柱はボード本体に向ける一側に少なくとも２つの高度差ありのスロット１２ａ、１２ｂが設けられ、ボード本体とホルダを枢着するように前記ボルトはスロット内に回転可能に挿設され、各前記支柱は、前記スロットの下方に、間隔のＨである固定孔１４が設けられ、前記固定孔は連結フレームとボード本体の底端の距離を固定するように連結フレームを固定し、前記係止装置は下向きの弾性マージンがある。【選択図】図４
0003232250.tif 000002
【実用新案登録請求の範囲】
【請求項１】
少なくとも２つの縦方向に沿って平行するように設けられる支柱を含むホルダと、
四辺にはフレームが固設され、２つの支柱の間に設けられるボード本体と、
前記ボード本体のフレームの両側にそれぞれ固設される２つのボルトと、
両端がそれぞれ２つの支柱に固設され、ボード本体の下方に位置し、フレームと嵌合する係止装置が中部に設けられる連結フレームと、
を備えるホワイトボードであって、
前記支柱はボード本体に向ける一側に少なくとも２つの高度差ありのスロットが設けられ、前記ボルトはスロット内に回転可能に挿設されてボード本体とホルダを枢着し、各前記支柱は、前記スロットの下方に、それぞれ間隔のＨである固定孔が設けられ、前記固定孔は連結フレームとボード本体の底端の距離を固定するように連結フレームを固定し、前記係止装置には下向きの弾性マージンがある
ことを特徴とするホワイトボード。
【請求項２】
前記ボルトの自由端には環状溝が設けられ、前記少なくとも２つのスロットはそれぞれ第１のスロットと第２のスロットであり、
前記第１のスロットは支柱の天端に設けられ、第１の直溝であって、上端が開口であり、下端が環状溝に接する円弧面があり、
前記第２のスロットは第1のスロットの下方に設けられ、挿入孔と第２の直溝と、を含み、前記第２の直溝の上端にはそれと互いに導通する挿入孔が設けられるが、下端には環状溝に接する円弧面があり、前記挿入孔の直径D1がボルトの直径Ｄ２よりも大きく、前記第1の直溝と第２の直溝の幅がＷであり、環状溝の直径D３がWよりも小さく、ボルトの直径D２よりも小さい
ことを特徴とする請求項１に記載のホワイトボード。
【請求項３】
前記ボルトの自由端には環状溝が設けられ、前記少なくとも２つのスロットはすべて第２のスロットであり、当該第２のスロットは、挿入孔と第２の直溝を含み、前記第２の直溝の上端にはそれと互いに導通する挿入孔が設けられるが、下端には環状溝に接する円弧面があり、前記挿入孔の直径D1はボルトの直径D２よりも大きく、前記第２の直溝の幅がＷであり、環状溝の直径D３がWよりも小さく、ボルトの直径D２よりも小さい
ことを特徴とする請求項１に記載のホワイトボード。
【請求項４】
嵌合板をさらに備え、
前記嵌合板の中部は突起して凸面になり、当該凸面の中部が貫通孔を有し、両側が若干のネジ孔を有し、前記ボルトの一端はさらに底板に固定連結されるが、他端は貫通孔を貫通し、かつ底板と凸面の底部端面に当接させ、前記嵌合板はネジによりフレームに固定されることで、前記ボルトの底板はフレームと嵌合板の凸面の底部端面から構成される係止スペースに係止され、ボルトとフレームを固定連結する
ことを特徴とする請求項１〜３の何れか1項に記載のホワイトボード。
【請求項５】
前記支柱の天部は、支柱の開口に挿入され、ボルトと第１のスロットの離間を規制する取付蓋をさらに有する
ことを特徴とする請求項２に記載のホワイトボード。
【請求項６】
前記係止装置は、ベース、連結部、バネ座、嵌合座およびバネを備え、前記バネ座は底板と連結柱から構成され、前記連結柱は底板に固定され、前記連結部は大径端と小径端を有し、前記大径端内にはバネ位置決め孔が設けられ、前記ベースのキャビティは中空であり、その天部は開口端を有し、前記バネ座と連結部は下から上に順序にベースのキャビティに内蔵され、当該バネ座の底板とベースは互いに固定連結し、同時に、当該連結部の小径端はベースの開口端から外に伸び出し、前記バネの一端は連結柱をスリーブ化して底板に当接され、他端はバネ位置決め孔に内蔵され、連結部の小径端の天部にはボード本体と互いに嵌合する嵌合溝を有する嵌合座が固設される
ことを特徴とする請求項１に記載のホワイトボード。
【請求項７】
前記連結部の小径端は凹溝をさらに有し、嵌合部の底部はさらに凹溝に挿入されるバンプを有し、前記連結部と前記嵌合部はさらにネジにより固定される
ことを特徴とする請求項６に記載のホワイトボード。
【考案の詳細な説明】
【技術分野】
【０００１】
本実用新案は文房具の技術領域に関し、特にホワイトボードに関する。
【背景技術】
【０００２】
慣用されるホワイトボードは１つのホルダにより固定され、当該ホルダの底部がキャスターを有すると、当該ホルダは可動ホルダであるように構成され、当該可動ホルダによれば、ホワイトボードが異なる地理スペース内に便利に切り替えることができるが、ホワイトボードの高さを調整することができない。
【先行技術文献】
【特許文献】
【０００３】
【特許文献１】特許公開番号ＣＮ２０２６４１１４１Ｕ
【考案の概要】
【考案が解決しようとする課題】
【０００４】
従来のホワイトボードはホルダに固定することしかできず、かつボード本体とホルダとの間は着脱難しいので、物流および保管費用が高くて輸送不便であり、かつボード本体の高さを調整できず、高さを固定できず使用不便になる。
【課題を解決するための手段】
【０００５】
上記課題を解決するために、本実用新案に係るホワイトボードでは、
縦方向に沿って平行する２つの支柱を含むホルダと、
四辺にはフレームが固設され、２つの支柱の間に設けられるボード本体と、
前記ボード本体のフレームの両側にそれぞれ固設される２つのボルトと、
両端がそれぞれ２つの支柱に固設されかつボード本体の下方に位置し、フレームと嵌合するための係止装置が中部に設けられる連結フレームと、を備えるホワイトボードであって、
前記支柱はボード本体に向ける一側に少なくとも２つの高度差ありのスロットがあり、ボード本体とホルダを枢着するように前記ボルトがスロット内に回転可能に挿設され、各前記支柱は各前記スロットの下方にそれぞれ間隔のＨである固定孔が設けられ、前記固定孔は連結フレームを固定するためで連結フレームとボード本体の底端の距離を固定させ、前記係止装置は下向きの弾性マージンがある。
【考案の効果】
【０００６】
当該支柱には少なくとも２つのスロットが設けられ、これにより、ボード本体とホルダが枢着される場合に、ボード本体全体はホルダに対して異なる高さを有する。取り付けられる場合、ボルトをスロットに挿入したらボード本体とホルダを連結実現できるとともに、各スロットの下方には、連結フレームが固設されるための、高さに対応する固定孔が設けられ、かつ、連結フレームの中部には係止装置が設けられ、当該係止装置は下向きの弾性マージンがあり、弾性変形が生じられていないという第１の状態にある場合、係止装置はボード本体がホルダに対して回転するように係止することができ、係止装置を下向きに押す場合、係止装置が下向きへ弾性変形し、係止装置とボード本体は干渉を生じず、ボード本体はホルダに対して回転できる。上記の構造によれば、ボード本体の高さを便利に調整できて垂直方向を便利に固定することを実現できる。
【図面の簡単な説明】
【０００７】
【図１】慣用されるホワイトボードを示す図である。
【図２】本実用新案に係るホワイトボードの組み立て図である。
【図３】本実用新案に係るホワイトボードの分解図である。
【図４】本実用新案に係る支柱を示す図である。
【図５】本実用新案に係るボルトと嵌合板の分解図である。
【図６】本実用新案に係るボルトがスロットに内蔵される断面図である。
【図７】本実用新案に係る係止装置の分解図である。
【図８】本実用新案に係る係止装置の組み立て図である。
【図９】本実用新案に係る係止装置の縦方向の断面図である。
【考案を実施するための最良の形態】
【０００８】
以下、本実用新案に係る実施の形態について詳細に説明し、本実施の形態は図示され、全文で同じまたは類似の記号が同じまたは類似の素子を示し、或いは、同じまたは類似の素子を有することを示す。以下、図を参照しながら説明する実施の形態は例示的なものであり、本実用新案を解釈する用だけであり、本実用新案を限定されるものではない。
【０００９】
図２〜図９に示すように、本実用新案は、ホワイトボード１００を開示し、当該ホワイトボード１００は便利に取り付けられて高さが調整できる。前記ホワイトボード１００は、ホルダ１、ボード本体２、フレーム３及び連結フレーム５を備え、前記ボード本体２はフレーム３内に取り付けられ、前記フレーム３とホルダ１は連結されている。図３に示すように、前記ホルダ１は２つの支柱１１を含み、前記支柱１１はボード本体２へ向ける一側に少なくとも２つの高低差ありのスロット１２a、１２ｂが設けられ、２つの支柱１１の間にはさらに補強ロッド７があり、前記支柱１１の的底部は水平ロッドを有し、前記水平ロッドの底部はロック装置を有する２つのユニバーサルホイール８を有する。
【００１０】
図５に示すように、ボルト４１と嵌合板４２がさらに備えられ、前記ボルト４１の一端は底板４１２に固定され、他端（自由端）は環状溝４１１を有する。前記嵌合板４２の中部には外へ突起する凸面４２１があり、前記凸面４２１は貫通孔４２２があり、その両側には若干のネジ孔４２３があり、取り付けられる際に、ボルト４１の自由端を貫通孔４２２を貫通させてボルト４１の底板４１２と嵌合板４２の凸面４２１の底部を当接させ、ネジ４３を介して嵌合板４２をフレーム３の両側に固定させ、前記ボルト４１の底板４１２はフレーム３と嵌合板４２の凸面４２１の底部の端面とから構成される係止スペースに係止され、ボルト４１とフレーム３の固定連結を実現する。前記環状溝４１１はスロット１２a、１２ｂと嵌合し、前記スロット１２a、１２ｂは支柱１１に位置し、前記支柱１１はキャビティが中空である四角鋼管である。前記スロット１２a、１２ｂの取り付け位置について、図４に示すように、１つの実施の形態では、２つのスロットはそれぞれ第１のスロット１２aと第２のスロット１２ｂであり、前記第１のスロット１２aは支柱１１の天端に設けられ、第１の直溝１２３であり、上端が開口であり、下端が環状溝４１１に接する円弧面１２２を有する。前記第２のスロット１２ｂは第１のスロット１２aの下方に設けられ、挿入孔１２１と第２の直溝１２４を含む。前記第２の直溝１２４の上端には互いに導通する挿入孔１２１が設けられ、下端には環状溝４１１に接する円弧面１２２があり、前記挿入孔１２１の直径D１はボルト４１の直径D２より大きく、同時に、前記第１の直溝１２３と第２の直溝１２４の幅はWであり、環状溝４１１の直径D３は、Wよりも小さく、ボルト４１の直径D２よりも小さい。前記支柱１１の天部は支柱１１の開口を挿入するためであり、ボルト４１と第１のスロット１２aとの離間を規制する取付蓋１３をさらに備える。
【００１１】
前記ボルト４１の環状溝４１１は第１のスロット１２aまたは第２のスロット１２ｂに挿入される場合、環状溝４１１の直径D３が第１の直溝１２３と第２の直溝１２４の幅Wよりも小さいので、ボルト４１は第１のスロット１２aまたは第２のスロット１２ｂに内嵌し、第１のスロット１２aまたは第２のスロット１２ｂの縁と環状溝４１１を互いに嵌合させることにより、ボルト４１は第１のスロット１２aまたは第２のスロット１２ｂから離れ難く、また、取り付けやすく、直接にボルト４１を第１のスロット１２aまたは第２のスロット１２ｂに挿入させて環状溝４１１を円弧面１２２に接し、操作し易い。
【００１２】
別の実施の形態（未図示）では、前記スロットについて、２つの前記スロットはすべて第２のスロット１２ｂであってよい。それは、支柱１１に設けられ、当該第２のスロット１２ｂは挿入孔１２１と第２の直溝１２４を含み、前記第２の直溝１２４の上端には互いに導通する挿入孔１２１が設けられ、下端には環状溝４１１に接する円弧面１２２があり、前記挿入孔の直径D１はボルト４１の直径D２よりも大きく、同時に、前記第２の直溝１２４の幅はWであり、環状溝４１１の直径D３は、Wよりも小さく、ボルト４１の直径D２よりも小さい。当該実施の形態において、前記２つのスロットはすべて第２のスロット１２ｂであり、それは環状溝４１１と嵌合する。
【００１３】
なお、前記スロットの数量については、２つに限られず、支柱１１に２つ以上が設けられてもよい。
【００１４】
前記２つの支柱１１の間には、連結フレーム５が更に備えられ、前記連結フレーム５は固定孔１４により固定され、前記固定孔１４はスロットの下方に設けられ、各固定孔１４とスロットの間の距離は固定されている。図４に示すように、前記スロットと固定孔１４の間の距離はＨに固定され、連結フレーム５が支柱１１に取り付けられる場合ボード本体２と連結フレーム５の間の距離は固定であるように保証した。前記連結フレーム５はさらに係止装置６が設けられ、下方にはトレー５１が固設された。図７〜図９に示すように、前記係止装置６はベース６１、連結部６２、バネ座６５、嵌合座６３及びバネ６４を備える。前記バネ座６５は底板６５１及び連結柱６５２から構成され、前記連結柱６５２は底板６５１に固定される。前記連結部６２は大径端６２２と小径端６２１を有し、前記大径端６２２内にはバネ位置決め孔６２４が設けられ、前記ベース６１のキャビティ６１１は中空であり、その天部は開口端６１２があり、前記バネ座６５及び連結部６２は下から上に順序にベース６１のキャビティ６１１に内蔵され、当該バネ座６５の底板６５１とベース６１は互いに固定連結され、同時に、当該連結部６２の小径６２１はベース６１の開口端６１２から外へ延び出す。前記バネ６４の一端は連結柱６５２をスリーブ化し底板６５１に当接し、他端はバネ位置決め孔６２４内に設けられる。上記の構造によれば、連結部６２が下向きに押される場合、前記連結柱６５２はバネ位置決め孔６２４に挿入されることができ、これにより、連結部６２は、ベース６１のキャビティにおける下向きの変位スペースがあり、連結柱６５２と干渉しない。前記に連結部６２の上部はさらに凹溝６２５を有し、前記嵌合座６３の底部はさらにバンプ６３２を有し、前記バンプ６３２は凹溝６２５に挿入され、前記連結部６２と嵌合座６３はネジにより固定され、嵌合座６３を連結部６２の小径６２１に固定連結させ、当該嵌合座６３には嵌合溝６３１を有し、前記嵌合溝６３１はボード本体２と嵌合するためであり、前記嵌合座６３の両側はさらに係止装置６全体を下向きに押しやすい下向きの押し凹溝６３３がある。
【００１５】
取り付けられる場合に、当該ホワイトボードは直接にボルト４１をスロット内に嵌合させる。取り付けやすく、かつ異なる高さのスロットがあるので、当該ホワイトボードの高さを調整することができる。また、係止装置６があるので、ホワイトボードは垂直状態にある場合に固定されることができ、より使いやすい。
【００１６】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
0003232250.tif 000003
【図２】
0003232250.tif 000004
【図３】
0003232250.tif 000005
【図４】
0003232250.tif 000006
【図５】
0003232250.tif 000007
【図６】
0003232250.tif 000008
【図７】
0003232250.tif 000009
【図８】
0003232250.tif 000010
【図９】
0003232250.tif 000011